(57)【特許請求の範囲】
【請求項１】
０系と１系との冗長構成を形成する２つのクロックパネルと１ないし複数の主信号パネルとバックボードとを含んで構成されるクロック系切り替え制御回路であって、
１ないし複数の前記主信号パネルそれぞれは、２つの前記クロックパネルそれぞれから分配されてくる２つのクロックそれぞれの異常を検出する異常検出部と、２つの前記クロックのいずれかを選択して出力するセレクタと、を少なくとも備え、
２つの前記クロックパネルそれぞれは、１ないし複数の主信号パネルそれぞれに対してクロックを分配するか否かを選択するセレクタと、運用系と非運用系とのクロック系の切り替え制御を判定する判定部と、前記判定部の判定結果に基づいて、自系クロックパネル内の前記セレクタおよび前記主信号パネル内の前記セレクタの選択動作を制御する制御部と、を少なくとも備え、
２つの前記クロックパネルそれぞれの前記判定部は、クロックの分配先である前記主信号パネルそれぞれから、自系クロックパネルからのクロック入力異常情報、他系クロックパネルからのクロック入力異常情報、および、前記主信号パネルそれぞれの実装情報と故障情報とを受信した結果に基づいて、運用系と非運用系とのクロック系の切り替え制御の判定を行い、自系クロックパネルの前記制御部に通知することにより、自系クロックパネルの前記セレクタと前記主信号パネルそれぞれの前記セレクタとの切り替えを行い、
２つの前記クロックパネルそれぞれに、２種類の起動完了時間を設定するための２種類の遅延回路を備え、
２つの前記クロックパネルそれぞれの前記判定部は、自系クロックパネルが前記バックボードに実装された際に、自系クロックパネルが０系であるか１系あるかを識別するスロットＩＤ情報を前記バックボードから取り込み、取り込んだ前記スロットＩＤ情報に基づいて、自系クロックパネルの２種類の前記遅延回路のうちのどちらかを選択して、自系クロックパネルの前記起動完了時間を決定することにより、２つの前記クロックパネルとの間で前記起動完了時間に時間差を設定し、２つの前記クロックパネルが実装された装置の電源投入時における初期優先起動系のクロックパネルを、０系、１系のどちらかに固定し、
２つの前記クロックパネルそれぞれの前記判定部は、他系クロックパネルに対して自系クロックパネルの起動が完了した時点を起動完了通知信号により互いに通知し合うことにより、２つの前記クロックパネルのうち、前記起動完了時間が短く、他系クロックパネルへの前記起動完了通知信号を先に送信したクロックパネルを、２つの前記クロックパネルを搭載した装置の電源投入時における初期優先起動系として固定して設定し、
２つの前記クロックパネルそれぞれに、２つの前記クロックパネルが実装された装置の電源投入時における初期優先起動系を、０系のクロックパネル又は１系のクロックパネルのどちらにするかを示す優先設定情報をユーザが設定することができるスイッチ又は不揮発性メモリを備え、
２つの前記クロックパネルそれぞれの前記判定部は、自系クロックパネルの前記スイッチ又は前記不揮発性メモリに設定された前記優先設定情報と前記バックボードから取り込んだ前記スロットＩＤ情報とに基づいて、２つの前記クロックパネルに関し、電源投入時における初期優先起動系のクロックパネルであるか否かを判定し、初期優先起動系と判定されたクロックパネル側は、２種類の前記遅延回路のうち、前記起動完了時間が短い方の遅延回路を選択し、電源投入時における初期優先起動系ではないと判定されたクロックパネル側は、２種類の前記遅延回路のうち、前記起動完了時間が長い方の遅延回路を選択することを特徴とするクロック系切り替え制御回路。
【請求項２】
２つの前記クロックパネルそれぞれの前記判定部は、自系クロックパネルの起動が完了した際に、他系クロックパネルに対して自系クロックパネルの前記スイッチ又は前記不揮発性メモリに設定された前記優先設定情報を設定情報通知信号により互いに通知し合うことにより、自系クロックパネルの前記優先設定情報と他系クロックパネルの前記優先設定情報とが一致しているか否かを判定し、一致している場合には、自系クロックパネルの前記スイッチ又は前記不揮発性メモリに設定された前記優先設定情報と前記バックボードから取り込んだ前記スロットＩＤ情報とに基づいて、自系クロックパネルが、２つの前記クロックパネルを搭載した装置の電源投入時における初期優先起動系のクロックパネルであるか否かを判定することを特徴とする請求項１に記載のクロック系切り替え制御回路。
【請求項３】
２つの前記クロックパネルそれぞれの前記判定部は、０系のクロックパネル、１系のクロックパネルのどちらを、２つの前記クロックパネルを搭載した装置の電源投入時における初期優先起動系のクロックパネルとするかという情報をあらかじめ設定しておき、自系クロックパネルの前記優先設定情報と他系クロックパネルの前記優先設定情報とが一致しなかった場合、前記バックボードから取り込んだ前記スロットＩＤ情報に基づいて、自系クロックパネルが、２つの前記クロックパネルのうち、電源投入時における初期優先起動系としてあらかじめ設定されていたクロックパネルであるか否かを判定することを特徴とする請求項２に記載のクロック系切り替え制御回路。
【請求項４】
０系と１系との冗長構成を形成する２つのクロックパネルを搭載したネットワーク装置において、２つの前記クロックパネルの切り替えを制御するクロック系切り替え制御回路が、請求項１ないし３のいずれかに記載のクロック系切り替え制御回路から構成されていることを特徴とするネットワーク装置。
【発明の詳細な説明】
【技術分野】
【０００１】
本発明は、クロック系切り替え制御回路およびネットワーク装置に関し、特に、クロックパネルの故障やクロック受信警報などのクロック系障害発生時におけるクロック系の自動切り替え動作が、制御パネルからの制御を要せずして行えるクロック系切り替え制御回路およびネットワーク装置に関する。
【背景技術】
【０００２】
冗長構成を形成する２つのクロックパネルを有するネットワーク装置の場合、従来の技術においては、例えば、特許文献１の特開平９-２１５０７３号公報「クロック分配方式」にも記載されているように、クロックパネル系の切り替えを制御するために、クロックパネルとは別の制御パネルが必要であった。
【０００３】
図３は、従来技術におけるクロック系切り替え制御回路の例を示すブロック構成図である。このクロック系切り替え制御回路は、クロックパネルの系の自動切り替えを制御するために、該クロックパネルとは別の制御パネルの設置を要する回路の例である。図３に示す従来技術のクロック系切り替え制御回路は、クロックパネル０系３０１、クロックパネル１系３０２、バックボード３０３、主信号パネル１の３０４、…、主信号パネルｎの３０５、および、制御パネル３０６によって構成されている。
【０００４】
図３のクロック系切り替え制御回路において、主信号パネル１  ３０４、…、主信号パネルｎ  ３０５それぞれにクロックを供給するクロックパネルは、クロックパネル０系３０１、クロックパネル１系３０２の２つのクロックパネルによる冗長構成が採用されている。両クロックパネルは、同一の構成要素からなり、バイポーラ・ユニポーラ変換部４０１、位相同期発振器４０２、セレクタ４０３、位相同期発振器４０４から構成される。また、主信号パネル１  ３０４、…、主信号パネルｎ  ３０５は、いずれも同一の構成要素からなり、異常検出部４０７、セレクタ４０８、位相同期発振器４０９から構成される。また、制御パネル３０６は、制御部４１０および判定部４１１から構成される。
【０００５】
クロックパネル０系３０１、クロックパネル１系３０２それぞれは、０系クロックＡ０１、１系クロックＡ０２を、複数の主信号パネル１  ３０４、…、主信号パネルｎ  ３０５に分配している。また、複数の主信号パネル１  ３０４、…、主信号パネルｎ  ３０５それぞれは、主信号パネル１検出０系／１系クロック入力異常信号、主信号パネル１の実装情報および故障情報を含む主信号パネル１異常通知信号Ｂ０１、…、主信号パネルｎ検出０系／１系クロック入力異常信号、主信号パネルｎの実装情報および故障情報を含む主信号パネルｎ異常通知信号Ｂ０２を、制御パネル３０６に通知している。
【０００６】
ここで、図３の従来のクロック系切り替え制御回路においては、冗長構成を形成する２つのクロックパネル０系３０１／クロックパネル１系３０２それぞれのセレクタ４０３、および、クロックの分配先である複数の主信号パネル１  ３０４、…、主信号パネルｎ  ３０５それぞれのセレクタ４０８の制御を行う場合、クロックパネル０系３０１／クロックパネル１系３０２とは別の、制御パネル３０６を用いて制御していた。すなわち、制御パネル３０６は、０系クロック入力異常と１系クロック入力異常とのそれぞれの異常情報を、クロックの分配先である複数の主信号パネル１  ３０４、…、主信号パネルｎ  ３０５それぞれの異常検出部４０７から、それぞれの主信号パネル１  ３０４、…、主信号パネルｎ  ３０５の実装情報と故障情報とともに、受け取る。
【０００７】
制御パネル３０６は、主信号パネル１  ３０４、…、主信号パネルｎ  ３０５それぞれから受け取った主信号パネル１異常通知信号Ｂ０１、…、主信号パネルｎ異常通知信号Ｂ０２に基づいて、クロック系の切り替え制御の判定を判定部４１１によって行う。そして、判定部４１１による判定結果を使用して、制御部４１０により、クロックパネル０系のセレクタ制御信号Ｄ０１、クロックパネル１系のセレクタ制御信号Ｄ０２、および、主信号パネル１  ３０４のセレクタ制御信号Ｃ０１、…、主信号パネルｎ  ３０５のセレクタ制御信号Ｃ０２のそれぞれを生成する。
【０００８】
しかる後、制御パネル３０６は、生成したセレクタ制御信号Ｄ０１、セレクタ制御信号Ｄ０２、および、セレクタ制御信号Ｃ０１、…、セレクタ制御信号Ｃ０２のそれぞれを、クロックパネル０系１０１、クロックパネル１系１０２それぞれのセレクタ４０３、および、クロックの分配先である複数の主信号パネル１  ３０４、…、主信号パネルｎ  ３０５それぞれのセレクタ４０８に対して出力して、それぞれのセレクタ４０３、セレクタ４０８を制御する。
【０００９】
かくのごとく、従来の技術においては、クロックパネル０系３０１、クロックパネル１系３０２のクロック系の切り替えを制御するために、クロックパネル０系３０１、クロックパネル１系３０２とは別の制御パネル３０６が必要であった。もし、クロック系切り替え制御回路として、クロックパネル０系３０１、クロックパネル１系３０２とは別の制御パネル３０６を実装していない場合には、クロックパネル０系３０１、クロックパネル１系３０２の故障等のクロック系の障害が発生しても、クロック系の自動切り替え動作を行うことができなかった。
【００１０】
つまり、クロック系切り替え制御回路としてクロックパネル０系３０１、クロックパネル１系３０２のいずれかの故障検出によるクロック系の自動切り替えの制御を制御パネル３０６によって行う場合、制御パネル３０６の保守作業等において制御パネル３０６を抜去してしまうと、クロック系の障害検出によるクロック系の自動切り替えを行うことができない状況に陥る。そこで、従来の図３のクロック系切り替え制御回路を搭載していても、制御パネル３０６を抜去している間にクロック系の障害が発生した場合、ネットワーク装置等の装置内の主信号に影響を与えるリスクが避けられなかった。
【００１１】
また、特許文献２の特開２００５−１７３７６０号公報「２重系装置における起動時マスタ系決定方法」に記載されているように、例えば、クロック系切り替え制御回路として、クロックパネル０系３０１、クロックパネル１系３０２とは別の制御パネル３０６を実装していない場合、ネットワーク装置の電源投入時のクロックパネル初期優先起動系をクロックパネル０系３０１又はクロックパネル１系３０２のどちらかに固定させることができなかった。ここで、クロックパネル０系３０１、クロックパネル１系３０２とは別の制御パネル３０６に依存させることなく、クロック系切り替え制御回路を搭載したネットワーク装置等の装置の電源投入時のクロックパネル初期優先起動系をクロックパネル０系３０１又はクロックパネル１系３０２のどちらかに固定して強制的に立ち上げるようにした場合、クロックパネル０系３０１、クロックパネル１系３０２の２つのクロックパネルを同一のものとして扱うことができなくなってしまい、保守作業を行う場合、２種類のクロックパネルを区別して準備することが必要になっていた。
【００１２】
また、クロックパネル０系３０１、クロックパネル１系３０２の２つのクロックパネル自体に早く起動する優先系と遅く起動する非優先系という優先設定情報を設定するようにした場合、優先設定情報の設定を間違えて、例えば、異なった優先設定情報に設定したクロックパネルを０系と１系とに実装してしまった場合に、ネットワーク装置の電源投入時のクロックパネル初期優先起動系を固定させることができないという不具合が生じてしまった。
【先行技術文献】
【特許文献】
【００１３】
【特許文献１】特開平９-２１５０７３号公報
【特許文献２】特開２００５−１７３７６０号公報
【発明の概要】
【発明が解決しようとする課題】
【００１４】
前述したように、従来技術のクロック系切り替え制御回路においては、以下のような問題点がある。
【００１５】
第１の問題点は、例えば、制御パネルの故障等に伴う保守作業のために、該制御パネルを抜去してしまうと、クロック系の障害検出によるクロック系の自動切り替えを行うことができなくなってしまい、その結果、装置内の主信号にエラーを引き起こす可能性が生じるということである。
【００１６】
その理由は、従来技術においては、前述したように、クロックパネルの系の自動切り替えを制御するための回路をクロックパネルとは別の制御パネル内に備えるようにしていたからである。そして、制御パネルにおいて、クロックの障害検出による各種情報の収集・判定およびクロックパネルの切り替え制御を行っているため、制御パネルの故障等に伴う保守作業において、制御パネルを抜去してしまった場合、クロックの障害検出によるクロック系の自動切り替えを行うことができなくなってしまうということにある。
【００１７】
第２の問題点は、クロックパネルとは別の制御パネルに依存させずに、クロックパネルの自動切り替え制御をクロックパネルのみで行おうとした場合、クロック系切り替え制御回路を搭載していても、ネットワーク装置等の装置の電源投入時のクロックパネルの初期優先起動系を０系又は１系のどちらかに固定して立ち上げることができないことである。その結果、ネットワーク装置等の装置の電源投入後のサービス開始時に、装置それぞれにばらばらの系のクロックパネルによって立ち上がってしまった際に、クロックパネルの運用系を統一させようとする場合には、運用者（ユーザ）は、手動で、各装置のクロックパネルの運用系を揃える設定をしなければならなかったということになる。
【００１８】
その理由は、 ０系および１系の双方のクロックパネルは、同一機能のパネルであるため、装置の電源投入時のクロックパネルの初期優先起動系は、電源投入時にたまたま先に起動完了したクロックパネルの系が選択されることになり、初期優先起動系が、各クロックパネルの立上げ完了までに必要とする起動時間の個体性能誤差に依存してしまうからである。
【００１９】
第３の問題点は、制御パネルを介さずに、装置の電源投入時の初期優先起動系を０系又は１系のどちらかの系に毎回固定して強制的に立ち上がるようにするためには、２つのクロックパネルを優先系のパネルと非優先系のパネルとの２種類にしなければならないということである。これにより、クロックパネルの品種が増えてしまい、生産、運用、保守等の場面において、同一種類のクロックパネルを用いる場合の２倍の管理工数を必要とすることになる。
【００２０】
その理由は、制御パネルを介さずに、装置の電源投入時の初期優先起動系を０系又は１系のどちらかの系で毎回固定して強制的に立ち上がるようにするためには、クロックパネル自体として、装置の電源投入時に、初期選択系（初期優先起動系）として立ち上がる機能を有するクロックパネルと、初期非選択系（初期非優先起動系）として立ち上がる機能を有するクロックパネルとの２種類のクロックパネルを使用する必要があるからである。
【００２１】
第４の問題点は、１種類のクロックパネルに共通化し、例えばスイッチ又は不揮発性メモリを用いた優先設定情報の設定により、初期選択系（初期優先起動系）と初期非選択系（初期非優先起動系）とをユーザが任意に変更することができるように構成した場合、クロックパネルの優先設定情報を間違えて設定して、０系と１系とに実装してしまった場合に、装置の電源投入時の初期優先起動系を固定させることができなくなるということである。
【００２２】
その理由は、クロックパネルに実装されたスイッチ又は不揮発性メモリの設定操作時に、０系と１系とのクロックパネルにあらかじめ設定する初期優先起動系の優先設定情報を、間違えて設定して、０系と１系とに実装してしまった場合、両系とも優先系又は非優先系のクロックパネルになってしまうため、初期優先起動系が、各クロックパネルの立上げ完了までに必要とする起動時間の個体性能誤差に依存してしまい、結果として、装置の電源投入時の初期優先起動系を固定することができないからである。
【００２３】
（本発明の目的）
本発明は、以上のような問題点に鑑みてなされたものであり、冗長構成を形成する２つのクロックパネルを有するクロック系切り替え制御回路およびネットワーク装置に関し、クロック系の自動切り替え動作に制御パネルからの制御を不要とし、保守作業等において制御パネルを抜去しても、クロック系の自動切り替えが可能であり、かつ、クロックパネルの種類を増やすことなく、装置の電源投入時の初期優先起動系として０系又は１系のどちらかのクロックパネルの系を用いて毎回固定して立ち上げることを可能とし、さらに、ユーザの設定により初期優先起動系を任意に選択可能にした場合に、設定を間違えた場合であっても、装置の電源投入時の初期優先起動系を固定させることができるクロック系切り替え制御回路およびネットワーク装置を提供することに、その目的がある。
【課題を解決するための手段】
【００２４】
前述の課題を解決するため、本発明によるクロック系切り替え制御回路およびネットワーク装置は、主に、次のような特徴的な構成を採用している。
【００２５】
（１）本発明によるクロック系切り替え制御回路は、０系と１系との冗長構成を形成する２つのクロックパネルと１ないし複数の主信号パネルとバックボードとを含んで構成されるクロック系切り替え制御回路であって、
１ないし複数の前記主信号パネルそれぞれは、２つの前記クロックパネルそれぞれから分配されてくる２つのクロックそれぞれの異常を検出する異常検出部と、２つの前記クロックのいずれかを選択して出力するセレクタと、を少なくとも備え、
２つの前記クロックパネルそれぞれは、１ないし複数の主信号パネルそれぞれに対してクロックを分配するか否かを選択するセレクタと、運用系と非運用系とのクロック系の切り替え制御を判定する判定部と、前記判定部の判定結果に基づいて、自系クロックパネル内の前記セレクタおよび前記主信号パネル内の前記セレクタの選択動作を制御する制御部と、を少なくとも備え、
２つの前記クロックパネルそれぞれの前記判定部は、クロックの分配先である前記主信号パネルそれぞれから、自系クロックパネルからのクロック入力異常情報、他系クロックパネルからのクロック入力異常情報、および、前記主信号パネルそれぞれの実装情報と故障情報とを受信した結果に基づいて、運用系と非運用系とのクロック系の切り替え制御の判定を行い、自系クロックパネルの前記制御部に通知することにより、自系クロックパネルの前記セレクタと前記主信号パネルそれぞれの前記セレクタとの切り替えを行うことを特徴とする。
【００２６】
（２）本発明によるネットワーク装置は、０系と１系との冗長構成を形成する２つのクロックパネルを搭載したネットワーク装置において、２つの前記クロックパネルの切り替えを制御するクロック系切り替え制御回路が、少なくとも、前記（１）に記載のクロック系切り替え制御回路から構成されていることを特徴とする。
【発明の効果】
【００２７】
本発明のクロック系切り替え制御回路およびネットワーク装置によれば、主に、以下のような効果を奏することができる。
【００２８】
すなわち、本発明においては、クロックパネル同士の協調動作によってクロック系の自動切り替えを可能としていることにより、従来技術とは異なり、制御パネル内にはクロック系の自動切り替え制御回路を搭載する必要がないので、制御パネルを抜去してしまった場合であっても、クロックの障害検出によるクロック系の自動切り替えを行うことができるということである。
【００２９】
その理由は、本発明のクロック系切り替え制御回路においては、冗長構成を形成する０系／１系のクロックパネルそれぞれが、クロックの分配先である１ないし複数の主信号パネルそれぞれから、自系クロックパネルからの入力異常と他系クロックパネルからの入力異常との情報と、１ないし複数の主信号パネルそれぞれの実装情報と故障情報とを収集することによって、制御パネルを介さずに、クロックパネル同士の協調動作によって、クロック系の自動切り替えを行うことを可能としているからである。
【図面の簡単な説明】
【００３０】
【図１】本発明の一実施形態に係るクロック系切り替え制御回路のブロック構成の一例を示すブロック構成図である。
【図２】図１に本発明の一実施形態として例示したクロック系切り替え制御回路の判定部の動作の一例を説明するためのフローチャートである。
【図３】従来のクロック系切り替え制御回路の例を示すブロック構成図である。
【発明を実施するための形態】
【００３１】
以下、本発明によるクロック系切り替え制御回路およびネットワーク装置の好適な実施形態について添付図を参照して説明する。なお、以下の説明においては、冗長構成からなる２つのクロックパネルに関し、運用系と非運用系（待機系）との切り替えを制御するためのクロック系切り替え制御回路について説明するが、かくのごときクロック系切り替え制御回路を、通信機能を実現する各種のネットワーク装置に搭載するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００３２】
（本発明の特徴）
本発明の実施形態の説明に先立って、本発明の特徴についてその概要をまず説明する。本発明は、冗長構成を形成する０系／１系のクロックパネルそれぞれが、クロックの分配先である１ないし複数の主信号パネルそれぞれから、自系クロックパネルからの入力異常と他系クロックパネルからの入力異常の情報と、各主信号パネルそれぞれの実装情報と故障情報とを受け取ることにより、それらの情報を使用して、クロックパネル同士の協調動作によって、従来技術とは異なり、制御パネルを介さずに、クロックパネルの自動切り替えを行う仕組みを備えていることを主要な特徴としている。
【００３３】
また、クロック系切り替え制御回路を搭載した装置の電源投入時に、冗長構成を形成する２つのクロックパネルが実装されたバックボードからクロックパネルの実装位置（すなわち０系と1系とのクロックパネル識別情報）を示すスロットＩＤ情報を取り込み、取り込んだスロットＩＤ情報を使用することにより、制御パネルを介さずに、装置の電源投入時の初期優先起動系を０系又は１系のどちらかに固定させることを可能とする仕組みを備えていることも特徴の一つとしている。
【００３４】
また、クロック系切り替え制御回路を搭載した装置の電源投入時に、冗長構成を形成する２つのクロックパネルが実装されたバックボードから取り込んだスロットＩＤ情報と、０系と１系とのそれぞれのクロックパネルにあらかじめ設定されている初期優先起動系を示す情報（優先設定情報）とを使用することにより、制御パネルを介さずに、装置の電源投入時の初期優先起動系を０系又は１系のどちらかを選択して、固定させることを可能とする仕組みを備えていることも特徴の一つとしている。
【００３５】
さらに、クロック系切り替え制御回路を搭載した装置の電源投入時に、冗長構成を形成する２つのクロックパネルが実装されたバックボードから取り込んだスロットＩＤ情報と、０系と１系とのそれぞれのクロックパネルにあらかじめ設定されている初期優先起動系の情報（優先設定情報）とを使用することにより、制御パネルを介さずに、装置の電源投入時の初期優先起動系を０系又は１系のどちらかを選択して、固定させることを可能とするという前述のようなクロック系切り替え制御回路に関し、他系側のクロックパネルの初期優先起動系を固定するための優先設定情報を互いに収集し合うことにより、両系のクロックパネルの初期優先起動系を固定するための優先設定情報を間違って設定していた場合であっても、装置の電源投入時の初期優先起動系を確実に固定させることを可能とする仕組みを備えていることも特徴の一つとしている。
【００３６】
なお、前記特許文献２に記載の従来技術においては、クロックパネルのマスタ系とスレーブ系との主従関係を決定するようにしているが、本発明は、クロックパネルのマスタ系とスレーブ系といった主従関係を決定するものではなく、あくまでも、対等な関係にあるクロックパネル０系とクロックパネル１系とに関するものである。そして、本発明は、かかる冗長構成の２つのクロックパネルが実装されたネットワーク装置等の装置の電源投入時におけるクロックパネル初期起動系を如何にして設定するかという技術についても開示している。つまり、前記特許文献２の場合とは異なり、本発明においては、起動後のクロックパネル０系とクロックパネル１系との動作についてもあくまでも対等な関係にあり、クロックパネルのマスタ系とスレーブ系との主従関係を判断する必要がないので、クロック系切り替え制御回路を実現するための回路規模を小さく抑えることが可能である。
【００３７】
また、本発明においては、具体的な実現手段の一つとして、２つのクロックパネルの起動完了時間に時間差を設けて、先に起動完了する系を常に固定して決定することにしているが、かかる時間差を設けるということ自体の発明のみならず、２つのクロックパネルの起動完了時間に時間差を設けるための設定手段を如何にして実現するかということも特徴としている。
【００３８】
つまり、本発明においては、２つのクロックパネルの起動完了時間に時間差を設けるための設定手段として、次のような仕組みを備えている。すなわち、２つのクロックパネルそれぞれの内部に２種類の起動完了時間を与える２種類の遅延回路を備えており、２つのクロックパネルそれぞれが装置のバックボードに実装された際に、自系クロックパネルが０系であるか１系あるかを識別するスロットＩＤ情報をバックボードから取り込み、取り込んだスロットＩＤ情報に基づいて、自系クロックパネルの２種類の遅延回路のうちのどちらかを選択して、自系クロックパネルの前記起動完了時間を決定する。而して、２つのクロックパネルとの間で起動完了時間に時間差を設定することを可能にし、その結果として、２つのクロックパネルが実装された装置の電源投入時における初期優先起動系のクロックパネルを、０系、１系のどちらかに固定することを可能にしている。
【００３９】
さらに、本発明においては、２つの前記クロックパネルが実装された装置の電源投入時における初期優先起動系を、０系のクロックパネル、１系のクロックパネルのどちらにするかを示す優先設定情報をユーザが適当な値に設定することができるスイッチ又は不揮発性メモリ、言い換えると、２種類の遅延回路のどちらかをユーザに選択させるためのスイッチ又は不揮発性メモリ、を２つのクロックパネルそれぞれに実装している。そして、２つのクロックパネルそれぞれに実装されたスイッチ又は不揮発性メモリをユーザが事前に操作してからネットワーク装置等の装置に搭載することにより、ネットワーク装置等の装置の電源投入時の初期起動系を、クロックパネル０系にもクロックパネル１系にも、ユーザが任意に選択して設定することができる。以上のような構成を採用することにより、２つのクロックパネルは、ハードウェア的に同一の構成とすることが可能になり、同じ型番になり、クロックパネルの生産・保守などの場面における管理負担を軽減することができる。
【００４０】
さらには、本発明においては、前述したように、２つのクロックパネルのスイッチ又は不揮発性メモリの設定をユーザが間違って矛盾した状態にして、ネットワーク装置等の装置に搭載してしまった場合であっても、正常に動作させる仕組みを備えていることも特徴としている。つまり、２つのクロックパネルのスイッチ又は不揮発性メモリの設定を間違って矛盾した状態に設定して装置に搭載してしまった場合には、装置の電源投入時における初期優先起動系のクロックパネルを、０系、１系のどちらかに固定するようにすることができる仕組みを備えている。
【００４１】
また、本発明においては、起動系の選択情報および選択回路をバックボードやクロックパネル以外の他のパネルに備える必要がないことも特徴としている。バックボードからは、前述したように、クロックパネルが０系であるか１系あるかを識別することが可能なクロックパネルの実装位置を示すスロットＩＤ情報を入手するだけであって、起動系の選択情報および選択回路は、あくまでも、クロックパネル０系とクロックパネル１系との２つのクロックパネル内に備えることとしている。
【００４２】
さらに、本発明においては、前述したように、２つのクロックパネルは、いずれも、１ないし複数の主信号パネルそれぞれの実装情報および故障情報と、自系クロックパネルからの入力異常と他系クロックパネルからの入力異常との情報とを入手する仕組みを備えていることも特徴としている。その結果、各主信号パネルが実装されていない場合や故障している場合には、クロックパネルは、該当する主信号パネルからの情報を無視することができ、かつ、自クロックパネル、他クロックパネルそれぞれから各主信号パネルへ供給するクロックの出力異常があった場合に、２つのクロックパネル同士の協調動作により、制御パネルを介することなく、クロック系の自動切り替えを行うことを可能にしている。
【００４３】
また、前記特許文献１に記載の従来技術においては、２つのデジタルクロック供給装置（ＤＣＳ）それぞれから出力される２つの系（Ｎ系およびＥ系）のクロックを選択する選択部に関する技術が記載されているが、当該選択部とは、クロックパネル内のクロック受信部側のセレクタであり、図３におけるセレクタ４０３に相当する。さらに、前記特許文献１に記載の従来技術においては、２つのデジタルクロック供給装置（ＤＣＳ）を搭載した装置の電源投入時におけるクロックの初期起動系を選択することができない。
【００４４】
これに対して、本発明においては、クロックパネル内のクロック受信部側のセレクタのみならず、各主信号パネル内に実装されているクロック送信部側のセレクタ（図３におけるセレクタ４０８に相当するセレクタ）に関しても、クロックパネルを搭載したネットワーク装置等の装置の電源投入時における初期起動系のクロックパネルを選択する際の対象としている。
【００４５】
（本発明の実施形態の構成例）
次に、本発明に係るクロック系切り替え制御回路の具体的な構成例について、図１を用いて詳細に説明する。図１は、本発明の一実施形態に係るクロック系切り替え制御回路のブロック構成の一例を示すブロック構成図である。図１に示す本発明の一実施形態に係るクロック系切り替え制御回路は、クロックパネル０系１０１、クロックパネル１系１０２、バックボード１０３、主信号パネル１の１０４、…、主信号パネルｎの１０５によって構成され、図３に示したような従来技術とは異なり、クロックパネル０系１０１、クロックパネル１系１０２とは別の制御パネルにクロック系自動切り替え用の制御機能を実装することを不要とする構成としている。
【００４６】
つまり、クロック系を切り替えるために、冗長構成を形成する２つのクロックパネル０系１０１、クロックパネル１系１０２それぞれのセレクタ２０３およびクロックの分配先である主信号パネル１  １０４、…、主信号パネルｎ  １０５それぞれのセレクタ２０８の制御を行う場合、クロックパネル０系１０１、クロックパネル１系１０２それぞれの内部に実装した判定部２０６と制御部２０５とが制御を行うように構成しており、クロックパネル０系１０１、クロックパネル１系１０２とは別の制御パネル内にクロック系の自動切り替え制御用の回路部を実装することを不要としている。
【００４７】
なお、図１に例示する本実施形態においては、主信号パネルは、主信号パネル１  １０４、…、主信号パネルｎ  １０５とｎ個（複数個）実装されている場合について説明するが、１個のみ実装されている場合であっても、以下の説明は全く同様であることを言うまでもない。
【００４８】
図１のクロック系切り替え制御回路において、クロックを主信号パネル１  １０４、…、主信号パネルｎ  １０５それぞれに供給するクロックパネルは、図３の従来技術の場合と同様、クロックパネル０系１０１、クロックパネル１系１０２の２つのクロックパネルによる冗長構成を採用し、それぞれの内部構成は、同一の構成要素からなっている。しかし、図１のクロックパネル０系１０１、クロックパネル１系１０２それぞれは、図３の従来技術の場合とは異なり、バイポーラ・ユニポーラ変換部２０１、位相同期発振器２０２、セレクタ２０３、位相同期発振器２０４の他に、さらに、クロック系自動切り替え用として、制御部２０５および判定部２０６を含んで構成される。セレクタ２０３は、図３の従来技術の場合と同様、１ないし複数の主信号パネル１  １０４、…、主信号パネルｎ  １０５それぞれに対してクロックを分配するか否かを選択する回路であり、また、本実施形態において追加搭載された判定部２０６は、運用系と非運用系とのクロック系の切り替え制御を判定する回路であり、制御部２０５は、判定部２０６の判定結果に基づいて、自系クロックパネル内のセレクタ２０３および主信号パネル１  １０４、…、主信号パネルｎ  １０５内のセレクタ２０８の選択動作を制御する回路である。
【００４９】
また、主信号パネル１  １０４、…、主信号パネルｎ  １０５は、いずれの内部構成も、同一の構成要素からなり、図３の従来技術の場合と同様、異常検出部２０７、セレクタ２０８、位相同期発振器２０９から構成される。異常検出部２０７は、２つのクロックパネル０系１０１／クロックパネル１系１０２それぞれから分配されてくる２つのクロックそれぞれの異常を検出する回路であり、セレクタ２０８は２つの前記クロックのいずれかを選択して後位の位相同期発振器２０９に出力する回路である。
【００５０】
クロックパネル０系１０１、クロックパネル１系１０２それぞれは、０系クロックＡ１１、１系クロックＡ１２を、複数の主信号パネル１  １０４、…、主信号パネルｎ  １０５それぞれに分配している。また、複数の主信号パネル１  １０４、…、主信号パネルｎ  ３１０５それぞれは、主信号パネル１検出０系／１系クロック入力異常信号、主信号パネル１の実装情報および故障情報を含む主信号パネル１異常通知信号Ｂ１１、…、主信号パネルｎ検出０系／１系クロック入力異常信号、主信号パネルｎの実装情報および故障情報を含む主信号パネルｎ異常通知信号Ｂ１２を、クロックパネル０系１０１、クロックパネル１系１０２それぞれに通知している。
【００５１】
図１のクロック系切り替え制御回路においては、冗長構成を形成する２つのクロックパネル０系１０１／クロックパネル１系１０２それぞれのセレクタ２０３、および、クロックの分配先である複数の主信号パネル１  １０４、…、主信号パネルｎ  ３０５それぞれのセレクタ２０８の制御を行う場合、クロックパネル０系１０１／クロックパネル１系１０２それぞれを用いて制御する。すなわち、クロックパネル０系１０１／クロックパネル１系１０２それぞれは、クロックの分配先である複数の主信号パネル１  １０４、…、主信号パネルｎ  １０５それぞれの異常検出部２０７によって検出された０系クロック入力異常と１系クロック入力異常とのそれぞれの異常情報を、主信号パネル１  １０４、…、主信号パネルｎ  １０５それぞれの異常検出部２０７から、それぞれの主信号パネル１  １０４、…、主信号パネルｎ  １０５の実装情報と故障情報とともに、それぞれ、主信号パネル１異常通知信号Ｂ１１、…、主信号パネルｎ異常通知信号Ｂ１２として受け取る。
【００５２】
クロックパネル０系１０１／クロックパネル１系１０２それぞれは、主信号パネル１  １０４、…、主信号パネルｎ  １０５それぞれから受け取った主信号パネル１異常通知信号Ｂ１１、…、主信号パネルｎ異常通知信号Ｂ１２と、バックボードからそれぞれが取り込んだスロットＩＤ情報Ｆ１１／スロットＩＤ情報Ｆ１２（自クロックパネルの実装位置すなわち自クロックパネルが０系か１系かを示すＩＤ情報）と、を基にして、クロック系の切り替え制御の判定を判定部２０６によって行う。
【００５３】
そして、判定部２０６による判定結果を使用して、制御部２０５により、クロックパネル０系のセレクタ制御信号Ｄ１１、クロックパネル１系のセレクタ制御信号Ｄ１２それぞれを生成するとともに、クロックパネル０系１０１から主信号パネル１  １０４、…、主信号パネルｎ  １０５それぞれに対して出力するセレクタ制御信号Ｃ１１、クロックパネル１系１０２から主信号パネル１  １０４、…、主信号パネルｎ  １０５それぞれに対して出力するセレクタ制御信号Ｃ１２のそれぞれを生成する。
【００５４】
しかる後、クロックパネル０系１０１／クロックパネル１系１０２それぞれは、生成したセレクタ制御信号Ｄ１１、セレクタ制御信号Ｄ１２、および、セレクタ制御信号Ｃ１１、セレクタ制御信号Ｃ１２のそれぞれを、クロックパネル０系１０１、クロックパネル１系１０２それぞれのセレクタ２０３、および、クロックの分配先である複数の主信号パネル１  １０４、…、主信号パネルｎ  １０５それぞれのセレクタ２０８に対して出力して、それぞれのセレクタ２０３、セレクタ２０８を制御する。
【００５５】
また、クロックパネル０系１０１／クロックパネル１系１０２それぞれの判定部２０６においては、自系クロックパネルをバックボード１０３に装着してネットワーク装置等の装置に実装した際に、バックボード１０３からスロットＩＤ情報Ｆ１１／スロットＩＤ情報Ｆ１２を取り込む。そして、取り込んだスロットＩＤ情報Ｆ１１／スロットＩＤ情報Ｆ１２により、自系クロックパネルが０系であるのか、あるいは、１系であるのかを判別した結果に基づいて、クロックパネル０系１０１／クロックパネル１系１０２それぞれのパワーオンクリア時間（起動完了時間）を変更し、クロックパネル０系１０１／クロックパネル１系１０２それぞれの起動完了時間に時間差を設定するようにしている。
【００５６】
つまり、２つのクロックパネル０系１０１／クロックパネル１系１０２それぞれの内部には２種類のパワーオンクリア時間（起動完了時間）を与えるための２種類の遅延回路を備え、さらに、装置の電源投入時における初期優先起動系を、０系のクロックパネル、１系のクロックパネルのどちらにするかを示す優先設定情報をユーザが適当な値に設定することができるスイッチ又は不揮発性メモリ、言い換えると、２種類の遅延回路のどちらかをユーザに選択させるためのスイッチ又は不揮発性メモリを、２つのクロックパネル０系１０１／クロックパネル１系１０２それぞれに実装している。これにより、２つのクロックパネル０系１０１／クロックパネル１系１０２を実装した際に、２つのクロックパネル０系１０１／クロックパネル１系１０２それぞれの起動完了時間に時間差が生じるように設定することができ、ネットワーク装置等の装置の電源投入時における初期起動系を、クロックパネル０系１０１／クロックパネル１系１０２のいずれにもユーザが任意に選択して設定することができる。すなわち、起動完了時間が短い方のクロックパネルを初期起動系（運用系）とし、長い方のクロックパネルを初期非起動系（非運用系すなわち待機系）として立ち上げることができる。
【００５７】
なお、クロックパネル０系１０１／クロックパネル１系１０２それぞれの判定部２０６は、電源投入時のクロック系の切り替え制御を協調して正常に実施するために、他系クロックパネルの起動完了通知信号Ｅ１１と、他系クロックパネルの初期優先起動系固定の設定情報通知信号Ｅ１２とを、相互に送信し合っている。
【００５８】
つまり、図１には図示していないが、クロックパネル０系１０１／クロックパネル１系１０２それぞれには、スイッチ又は不揮発性メモリが実装されており、クロックパネル０系１０１／クロックパネル１系１０２それぞれに関し、ネットワーク装置等の装置の電源投入時における初期優先起動系として固定することをユーザがあらかじめ選択して指示したことを示す初期優先起動系固定の優先設定情報Ｆ２１／初期優先起動系固定の優先設定情報Ｆ２２を、それぞれのスイッチ又は不揮発性メモリにあらかじめ設定することができる。
【００５９】
そして、クロックパネル０系１０１／クロックパネル１系１０２それぞれの判定部２０６においては、ネットワーク装置等の装置の電源投入時に、クロックパネル０系１０１／クロックパネル１系１０２それぞれのスイッチ又は不揮発性メモリから、あらかじめ設定されている初期優先起動系固定の優先設定情報Ｆ２１／初期優先起動系固定の優先設定情報Ｆ２２を、それぞれ、取り込むことができ、かつ、他系のクロックパネルに対して、起動完了を示す起動完了通知信号Ｅ１１の送信動作とは別に、初期優先起動系固定の設定情報通知信号Ｅ１２として送信することもできる。
【００６０】
そして、クロックパネル０系１０１／クロックパネル１系１０２それぞれの判定部２０６は、スイッチ又は不揮発性メモリから取り込んだそれぞれの初期優先起動系固定の優先設定情報Ｆ２１／初期優先起動系固定の優先設定情報Ｆ２２と、他系クロックパネルから通知されてくる他系クロックパネルの起動完了通知信号Ｅ１１と、バックボード１０３から取り込んだそれぞれのスロットＩＤ情報Ｆ１１／スロットＩＤ情報Ｆ１２と、を使用することにより、従来技術のような制御パネルを介することもなく、かつ、２種類ではなく１種類のクロックパネルのみを用いるという環境下において、ネットワーク装置等の装置の電源投入時における初期優先起動系として、０系又は１系のどちらかのクロックパネルを選択して、固定することを可能としている。
【００６１】
さらに、クロックパネル０系１０１／クロックパネル１系１０２それぞれの判定部２０６は、他系クロックパネルとの間で、他系クロックパネルの初期優先起動系固定の設定情報通知信号Ｅ１２を互いに送信し合っているので、両系の初期優先起動系固定の設定情報が相違して設定されていた場合であっても、ネットワーク装置等の装置の電源投入時における初期優先起動系を矛盾することなく正常に固定させることを可能にしている。
【００６２】
本発明の一実施形態に係る初期優先起動系判定表の一例を、次の表１に示している。
【００６３】
【表１】
0006468603.tif 000002
【００６４】
表１に示す初期優先起動系判定表の一例においては、クロックパネル０系１０１／クロックパネル１系１０２それぞれのスロットＩＤ情報Ｆ１１／スロットＩＤ情報Ｆ１２が、‘Ａ’／‘Ｂ’であった場合を示している。表1に示すように、例えば、クロックパネル０系１０１／クロックパネル１系１０２それぞれのスイッチ又は不揮発性メモリにあらかじめ設定されている初期優先起動系固定の優先設定情報Ｆ２１／初期優先起動系固定の優先設定情報Ｆ２２が、いずれも、‘Ａ’（クロックパネル０系優先）と設定されていた場合には、クロックパネル０系１０１／クロックパネル１系１０２それぞれの判定部２０６は、いずれも、クロックパネル０系優先と判定する。同様に、クロックパネル０系１０１／クロックパネル１系１０２それぞれのスイッチ又は不揮発性メモリにあらかじめ設定されている初期優先起動系固定の優先設定情報Ｆ２１／初期優先起動系固定の優先設定情報Ｆ２２が、いずれも、‘Ｂ’（クロックパネル１系優先）と設定されていた場合には、クロックパネル０系１０１／クロックパネル１系１０２それぞれの判定部２０６は、いずれも、クロックパネル１系優先と判定する。
【００６５】
これに対して、クロックパネル０系１０１／クロックパネル１系１０２の両系の初期優先起動系固定の優先設定情報が相違して設定されていた場合、すなわち、クロックパネル０系１０１／クロックパネル１系１０２それぞれのスイッチ又は不揮発性メモリにあらかじめ設定されている初期優先起動系固定の優先設定情報Ｆ２１／初期優先起動系固定の優先設定情報Ｆ２２の双方が異なる情報であり、一方が‘Ａ’（クロックパネル０系優先）、他方が‘Ｂ’（クロックパネル１系優先）と矛盾して設定されていた場合には、表１に示す初期優先起動系判定表の例においては、クロックパネル０系１０１／クロックパネル１系１０２それぞれの判定部２０６は、いずれも、クロックパネル０系優先と判定するようにしている。
【００６６】
この結果、両系の初期優先起動系固定の優先設定情報が相違して設定されていた場合であっても、ネットワーク装置等の装置の電源投入時における初期優先起動系をクロックパネル０系に固定させることができる。なお、両系の初期優先起動系固定の優先設定情報が相違して設定されていた場合、表１の例においては、クロックパネル０系優先と判定する例を示したが、クロックパネル０系優先ではなく、クロックパネル１系優先と判定するようにしてももちろん構わない。つまり、両系の初期優先起動系固定の優先設定情報が相違して設定されていた場合に備えて、クロックパネル０系１０１／クロックパネル１系１０２それぞれの判定部２０６には、電源投入時における初期優先起動系のクロックパネルを０系とするか１系とするかという情報をあらかじめ設定するようにすれば良い。
【００６７】
（本実施形態の動作の説明］ 
次に、図１に本発明の一実施形態として例示したクロック系切り替え制御回路の動作の一例について、図２のフローチャートを参照しながら詳細に説明する。図２は、図１に本発明の一実施形態として例示したクロック系切り替え制御回路の判定部２０６の動作の一例を説明するためのフローチャートである。
【００６８】
図２のフローチャートにおいて、クロックパネル０系１０１／クロックパネル１系１０２それぞれの判定部２０６は、クロック系切り替え制御回路を搭載したネットワーク装置等の装置の電源が投入されると（ステップＳ５０１）、バックボード１０３からクロックパネル０系１０１／クロックパネル１系１０２それぞれのスロットＩＤ情報Ｆ１１／スロットＩＤ情報Ｆ１２を読み込む（ステップＳ５０２）。しかる後、クロックパネル０系１０１／クロックパネル１系１０２それぞれのスイッチ又は不揮発性メモリから、あらかじめ設定されている初期優先起動系固定の優先設定情報Ｆ２１／初期優先起動系固定の優先設定情報Ｆ２２を取り込んで、バックボード１０３から読み込んだそれぞれのスロットＩＤ情報Ｆ１１／スロットＩＤ情報Ｆ１２と一致しているか否かを判定する（ステップＳ５０３）。
【００６９】
クロックパネル０系１０１／クロックパネル１系１０２それぞれの判定部２０６は、バックボード１０３から読み込んだそれぞれのスロットＩＤ情報Ｆ１１／スロットＩＤ情報Ｆ１２が、スイッチ又は不揮発性メモリから取り込んだそれぞれの初期優先起動系固定の優先設定情報Ｆ２１／初期優先起動系固定の優先設定情報Ｆ２２と一致していた場合には（ステップＳ５０３のＹｅｓ）、ネットワーク装置等の装置の電源投入時における初期優先起動系と判定して、クロックパネル０系１０１／クロックパネル１系１０２それぞれに実装されている２種類の遅延回路のうち、短い遅延時間を与える遅延回路を選択することにより、パワーオンクリア時間（起動完了時間）をあらかじめ定めた短い値に設定する（ステップＳ５０４）。一方、初期優先起動系固定の優先設定情報Ｆ２１／初期優先起動系固定の優先設定情報Ｆ２２と一致していなかった場合には（ステップＳ５０３のＮｏ）、ネットワーク装置等の装置の電源投入時における初期非優先起動系と判定して、２種類の遅延回路のうち、長い遅延時間を与える遅延回路を選択することにより、パワーオンクリア時間（起動完了時間）をあらかじめ定めた長い値に設定する（ステップＳ５０５）。
【００７０】
この結果、クロックパネル０系１０１／クロックパネル１系１０２の間で、パワーオンクリアを解除するまでの時間（起動完了時間）に時間差が生じて、初期優先起動系と判定されたクロックパネルの系が先にパワーオンクリアを解除し、初期非優先起動系と判定されたクロックパネルの系は遅れてパワーオンクリアを解除することになる（ステップＳ５０６）。
【００７１】
なお、ステップＳ５０３においては、ユーザの利便性を向上させるために、ユーザがスイッチ又は不揮発性メモリにあらかじめ設定していた初期優先起動系固定の優先設定情報Ｆ２１／初期優先起動系固定の優先設定情報Ｆ２２の設定値を、スロットＩＤ情報Ｆ１１／スロットＩＤ情報Ｆ１２と照合するように動作している場合を示した。しかし、場合によっては、スロットＩＤ情報Ｆ１１／スロットＩＤ情報Ｆ１２の値が０系、１系のどちらであるかという情報のみを用いて判定するようにしても良い。つまり、２つのクロックパネルが実装された装置の電源投入時における初期優先起動系のクロックパネルを、スイッチや不揮発性メモリを用いることなく、０系、１系のどちらかに固定するようにし、スロットＩＤ情報Ｆ１１／スロットＩＤ情報Ｆ１２の値が初期優先起動系のクロックパネルを示す値であった場合には、ステップＳ５０４に移行し、初期優先起動系のクロックパネルを示す値でなかった場合には、ステップＳ５０５に移行するようにしても良い。
【００７２】
しかる後、クロックパネル０系１０１／クロックパネル１系１０２それぞれの判定部２０６は、クロックパネルの起動が完了した際に、他系クロックパネルの判定部２０６に対して、互いに、起動完了通知信号Ｅ１１を送信するとともに、さらに、互いに、初期優先起動系固定の設定情報通知信号Ｅ１２も送信する（ステップＳ５０７）。起動完了通知信号Ｅ１１の送信が終了すると、クロックパネル０系１０１／クロックパネル１系１０２それぞれの判定部２０６は、他系のクロックパネルからの起動完了通知信号Ｅ１１を受信したか否かを判定する（ステップＳ５０８）。
【００７３】
他系のクロックパネルからの起動完了通知信号Ｅ１１をまだ受信していない場合には（ステップＳ５０８のＮｏ）、自系のクロックパネルが先に起動完了した系であり、初期優先起動系であると判断し、他系のクロックパネルが初期非優先起動系であると判断して、自系のクロックパネルのセレクタ２０３を選択することを指示する自系選択指示情報を、自系のクロックパネルの制御部２０５に対して出力する（ステップＳ５１２）。該自系選択指示情報を受け取った制御部２０５は、自系のクロックパネルのセレクタ２０３に対して、自系クロックを選択して出力することを指示するセレクタ制御信号Ｄ１１又はセレクタ制御信号Ｄ１２を出力するとともに、主信号パネル１  １０４、…、主信号パネルｎ  １０５それぞれのセレクタ２０８に対して、自系クロックを選択して出力することを指示するセレクタ制御信号Ｃ１１又はセレクタ制御信号Ｃ１２を出力する。その結果、自系のクロックパネルが運用系として起動されたことになる（ステップＳ５１４）。
【００７４】
一方、他系のクロックパネルから起動完了通知信号Ｅ１１を受信していた場合には（ステップＳ５０８のＹｅｓ）、クロックパネル０系１０１又はクロックパネル１系１０２の判定部２０６は、他系のクロックパネルが、先に起動が完了している初期優先起動系のクロックパネルである可能性が高いということを認識し、さらに、自系、他系双方のクロックパネルにおける初期優先起動系固定の優先設定情報Ｆ２１／初期優先起動系固定の優先設定情報Ｆ２２の設定値に矛盾がないということを確認するために、他系クロックパネルからの初期優先起動系固定の設定情報通知信号Ｅ１２を受信する（まだ受信していない場合には受信するまで待ち合わせる）（ステップＳ５０９）。他系クロックパネルからの初期優先起動系固定の設定情報通知信号Ｅ１２を受信すると、スイッチ又は不揮発性メモリから取り込んだ自系クロックパネルの初期優先起動系固定の設定情報が、受信した他系クロックパネルの初期優先起動系固定の設定情報通知信号Ｅ１２の情報と一致しているか否かを判定する（ステップＳ５１０）。
【００７５】
スイッチ又は不揮発性メモリから取り込んだ自系クロックパネルの初期優先起動系固定の設定情報が、受信した他系クロックパネルの初期優先起動系固定の設定情報通知信号Ｅ１２の情報と一致していた場合には（ステップＳ５１０のＹｅｓ）、自系のクロックパネルは初期非優先起動系であり、他系のクロックパネルが初期優先起動系であると判断して、自系のクロックパネルを初期非運用起動系（待機系）として起動する（ステップＳ５１３）。
【００７６】
一方、スイッチ又は不揮発性メモリから取り込んだ自系クロックパネルの初期優先起動系固定の設定情報が、受信した他系クロックパネルの初期優先起動系固定の設定情報通知信号Ｅ１２の情報と一致していなかった場合には（ステップＳ５１０のＮｏ）、クロックパネル０系１０１／クロックパネル１系１０２の両系の初期優先起動系固定の設定情報が互いに相違して設定されていた場合であるので、かかる場合には、既に起動されている他クロックパネルからのクロック送信動作を一旦停止させた後、表１に例示したように、本実施形態においては、初期優先起動系をクロックパネル０系優先とするために、自系クロックパネルが０系であるか否かを判定する（ステップＳ５１１）。
【００７７】
自系クロックパネルが０系であった場合には（ステップＳ５１１のＹｅｓ）、ステップＳ５１２に移行して、自系のクロックパネル（すなわちクロックパネル０系１０１）のセレクタ２０３を選択することを指示する自系選択指示情報を、自系のクロックパネルの制御部２０５に対して出力する（ステップＳ５１２）。該自系選択指示情報を受け取った制御部２０５は、自系のクロックパネル（すなわちクロックパネル０系１０１）のセレクタ２０３に対して、自系クロックを選択して出力することを指示するセレクタ制御信号Ｄ１１又はセレクタ制御信号Ｄ１２を出力するとともに、主信号パネル１  １０４、…、主信号パネルｎ  １０５それぞれのセレクタ２０８に対して、自系クロックを選択して出力することを指示するセレクタ制御信号Ｃ１１又はセレクタ制御信号Ｃ１２を出力する。その結果、自系のクロックパネル（すなわちクロックパネル０系１０１）が運用系として起動されたことになる（ステップＳ５１４）。
【００７８】
一方、自系クロックパネルが０系ではなかった場合には（ステップＳ５１１のＮｏ）、両系の初期優先起動系固定の設定情報が相違して設定されていた場合において、自系クロックパネルは初期非優先起動系に該当する１系のクロックパネルであったので、ステップＳ５１３に移行して、自系のクロックパネル（すなわちクロックパネル１系１０２）を非運用系として起動する（ステップＳ５１３）。
【００７９】
（実施形態の効果の説明）
【００８０】
以上に詳細に説明したように、本実施形態に係るクロック系切り替え制御回路によれば、以下のような効果を奏することができる。
【００８１】
第１の効果は、クロックパネル０系１０１／クロックパネル１系１０２同士の協調動作によってクロック系の自動切り替えを可能としていることにより、従来技術とは異なり、制御パネル内にはクロック系の自動切り替え制御回路を搭載する必要がないので、制御パネルを抜去してしまった場合であっても、クロックの障害検出によるクロック系の自動切り替えを行うことができるということである。
【００８２】
その理由は、本発明の実施形態に係るクロック系切り替え制御回路においては、冗長構成を形成する２つのクロックパネル０系１０１／クロックパネル１系１０２それぞれが、クロックの分配先である複数の主信号パネル１  １０４、…、主信号パネルｎ  １０５それぞれから、自系クロックパネルからの入力異常と他系クロックパネルからの入力異常との情報と、複数の主信号パネル１  １０４、…、主信号パネルｎ  １０５それぞれの実装情報と故障情報とを、主信号パネル１異常通知信号Ｂ１１、…、主信号パネルｎ異常通知信号Ｂ１２として収集することによって、制御パネルを介さずに、クロックパネル０系１０１／クロックパネル１系１０２同士の協調動作によって、クロック系の自動切り替えを行うことを可能としているからである。
【００８３】
第２の効果は、クロックパネル０系１０１／クロックパネル１系１０２とは別の制御パネルに依存させずに、クロックパネル０系１０１／クロックパネル１系１０２の切り替え制御をクロックパネルのみで行おうとする場合であっても、クロック系切り替え制御回路を搭載したネットワーク装置等の装置の電源投入時の初期起動系を０系又は１系のどちらかのクロックパネルに固定して立ち上げることができるということである。
【００８４】
その理由は、本発明の実施形態に係るクロック系切り替え制御回路においては、クロック系切り替え制御回路を搭載したネットワーク装置等の装置の電源投入時に、当該装置に冗長構成として実装された２つのクロックパネル０系１０１／クロックパネル１系１０２それぞれのスロットＩＤ情報Ｆ１１／スロットＩＤ情報Ｆ１２を、バックボード１０３から取り込み、該スロットＩＤ情報Ｆ１１／スロットＩＤ情報Ｆ１２を使用して、異なる起動完了時間を与える２種類の遅延回路のどちらかを選択し、２つのクロックパネル０系１０１／クロックパネル１系１０２の起動完了時間に時間差を設定することにより、制御パネルを介さずに、装置の電源投入時の初期優先起動系を０系又は１系のどちらかのクロックパネルに固定させることを可能としているからである。
【００８５】
第３の効果は、制御パネルを介さずに、クロック系切り替え制御回路を搭載したネットワーク装置等の装置の電源投入時の初期優先起動系を０系又は１系のどちらかのクロックパネルをユーザが任意に選択し、固定することが可能であるということである。
【００８６】
その理由は、本発明の実施形態に係るクロック系切り替え制御回路においては、装置の電源投入時に、バックボード１０３から取り込んだクロックパネル０系１０１／クロックパネル１系１０２それぞれのスロットＩＤ情報Ｆ１１／スロットＩＤ情報Ｆ１２と、クロックパネル０系１０１／クロックパネル１系１０２それぞれにユーザによって所定の値にあらかじめ設定されている初期優先起動系固定の優先設定情報Ｆ２１／初期優先起動系固定の優先設定情報Ｆ２２と、を使用することにより、制御パネルを介さずに、装置の電源投入時の初期優先起動系を０系又は１系のどちらかのクロックパネルを選択し、固定することを可能としているからである。
【００８７】
第４の効果は、両系の初期優先起動系固定の優先設定情報Ｆ２１に関する初期優先起動系を固定するための優先設定情報すなわち初期優先起動系固定の優先設定情報Ｆ２１／初期優先起動系固定の優先設定情報Ｆ２２をユーザが間違って設定してしまっていた場合であっても、クロック系切り替え制御回路を搭載したネットワーク装置等の装置の電源投入時の初期優先起動系を固定させることが可能であるということである。
【００８８】
その理由は、本発明の実施形態に係るクロック系切り替え制御回路においては、他系側のクロックパネルの初期優先起動系を固定するための優先設定情報を、初期優先起動系固定の設定情報通知信号Ｅ１２により、互いに収集し合うことにより、自系の初期優先起動系を固定するための優先設定情報と、他系の初期優先起動系を固定するための優先設定情報との設定が間違っていた場合であっても、バックボード１０３から取り込んだクロックパネル０系１０１／クロックパネル１系１０２それぞれのスロットＩＤ情報Ｆ１１／スロットＩＤ情報Ｆ１２により、装置の電源投入時の初期優先起動系を固定させることを可能としているからである。
【産業上の利用可能性】
【００８９】
本発明の活用例として、冗長構成を形成する２つのクロックパネルを搭載した装置、特に、ネットワーク装置が挙げられる。本発明により、制御パネルを介さずに、０系／１系のクロックパネルの系切り替え制御を自動的に行うことが可能となり、装置の簡素化が可能である。また、クロック系の自動切り替えの制御を制御パネルでは行わないので、保守作業等のために制御パネルを抜去してしまっても、クロック系の自動切り替えを行うことができ、装置の保守の面においても、装置の主信号に影響を及ぼさないネットワーク装置を提供することが可能となる。また、運用において、装置電源投入後のサービス開始時に、それぞれの装置でクロックパネルの運用系を統一させることを可能とするネットワーク装置を提供することも可能となる。
【００９０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００９１】
１０１      クロックパネル０系
１０２      クロックパネル１系
１０３      バックボード
１０４      主信号パネル１
１０５      主信号パネルｎ
２０１      バイポーラ・ユニポーラ変換部
２０２      位相同期発振器
２０３      セレクタ
２０４      位相同期発振器
２０５      制御部
２０６      判定部
２０７      異常検出部
２０８      セレクタ
２０９      位相同期発振器
３０１      クロックパネル０系
３０２      クロックパネル１系
３０３      バックボード
３０４      主信号パネル１
３０５      主信号パネルｎ
３０６      制御パネル
４０１      バイポーラ・ユニポーラ変換部
４０２      位相同期発振器
４０３      セレクタ
４０４      位相同期発振器
４０７      異常検出部
４０８      セレクタ
４０９      位相同期発振器
４１０      制御部
４１１      判定部
Ａ０１      ０系クロック
Ａ０２      １系クロック
Ａ１１      ０系クロック
Ａ１２      １系クロック
Ｂ０１      主信号パネル１異常通知信号（主信号パネル１検出０系／１系
クロック入力異常信号、主信号パネル１の実装情報および故障情報）
Ｂ０２      主信号パネルｎ異常通知信号（主信号パネルｎ検出０系／１系
クロック入力異常信号、主信号パネルｎの実装情報および故障情報）
Ｂ１１      主信号パネル１異常通知信号（主信号パネル１検出０系／１系
クロック入力異常信号、主信号パネル１の実装情報および故障情報）
Ｂ１２      主信号パネルｎ異常通知信号（主信号パネルｎ検出０系／１系
クロック入力異常信号、主信号パネルｎの実装情報および故障情報）
Ｃ０１      制御パネルからの主信号パネル１のセレクタ制御信号
Ｃ０２      制御パネルからの主信号パネルｎのセレクタ制御信号
Ｃ１１      クロックパネル０系からの主信号パネルのセレクタ制御信号
Ｃ１２      クロックパネル１系からの主信号パネルのセレクタ制御信号
Ｄ０１      制御パネルからのクロックパネル０系のセレクタ制御信号
Ｄ０２      制御パネルからのクロックパネル１系のセレクタ制御信号
Ｄ１１      クロックパネル０系のセレクタ制御信号
Ｄ１２      クロックパネル１系のセレクタ制御信号
Ｅ１１      他系クロックパネルの起動完了通知信号
Ｅ１２      他系クロックパネルの初期優先起動系固定の設定情報通知信号
Ｆ１１      クロックパネル０系のスロットＩＤ情報（：Ａ）
Ｆ１２      クロックパネル１系のスロットＩＤ情報（：Ｂ）
Ｆ２１      クロックパネル０系の初期優先起動系固定の優先設定情報
Ｆ２２      クロックパネル１系の初期優先起動系固定の優先設定情報
【図１】
0006468603.tif 000003
【図２】
0006468603.tif 000004
【図３】
0006468603.tif 000005